(57)【要約】  視力を回復することができる方法および装置であって、該方法は：  ジオプター変動幅［０，Ｎ］を連続的なジオプター変動を備えたｎ個のジオプター区間に分割するステップ；  ジオプター変動幅を［０，Ｎ／ｎ］、［１＋Ｎ／ｎ，２Ｎ／ｎ］、…および［１＋（ｎ−１）Ｎ／ｎ，Ｎ］と設定するステップ；  ユーザーの視力回復要件に従って眼鏡を製造するステップであって、その中で、眼鏡の左のレンズ組および右のレンズ組のジオプター変動幅がｎ個のジオプター区間の１つのジオプター区間にそれぞれ対応し、それによって眼鏡の度の強さを高精度で変えられる、ステップ；  いずれかのレンズ組に対して、ユーザーの望ましいジオプターおよび現在のジオプターに従って調節量を決定するステップ；および  調節量に従い、眼鏡に配置された電気駆動モジュールによって可動レンズを駆動し、移動させるステップであって、その結果として、ユーザーが、電気制御モードにおいて、独立し正確に度の強さを調節することができる、ステップを包含する。【選択図】図１
2020526801.tif 000002
【特許請求の範囲】
【請求項１】
視力を回復することができる方法であって、該方法は：
ジオプター変動幅［０，Ｎ］を、連続的なジオプター変動を備えたｎ個のジオプター区間に分割するステップ；
１番目からｎ番目までのジオプター区間のジオプター変動幅を［０，Ｎ／ｎ］、［１＋Ｎ／ｎ、２Ｎ／ｎ］、…、および［１＋（ｎ−１）Ｎ／ｎ，Ｎ］と設定するステップ；
ユーザーの視力回復要件に従って眼鏡を製造するステップであって、眼鏡の左のレンズ組および右のレンズ組のジオプター変動幅がそれぞれｎ個のジオプター区間の１つのジオプター区間に対応する、ステップ；
左のレンズ組および右のレンズ組のいずれか１つに対し、ユーザーの望ましいジオプターを受信した後にレンズ組の現在のジオプターを照会するステップ；
ユーザーの望ましいジオプターおよび現在のジオプターに従い、可動レンズが静止レンズに対して相対的に移動する調節量を決定するステップ；および
可動レンズが静止レンズに対して相対的に移動する調節量に従い、眼鏡に配置された電気駆動モジュールによって可動レンズを駆動し移動させる、ステップ
を包含する方法。
【請求項２】
ユーザーの視力回復要件に従い、眼鏡を製造することにおいて、眼鏡の左のレンズ組および右のレンズ組のジオプター変動幅がそれぞれｎ個のジオプター区間のうちの１つのジオプター区間に対応し、前記方法は、
ユーザーの視力回復要件に従い、左のレンズ組に対応するジオプター区間と、右のレンズ組に対応するジオプター区間を、ｎ個のジオプター区間から選択するステップ；
左のレンズ組および右のレンズ組のいずれかのレンズ組について、ジオプターとジオプター制御量Δの間の対応関係に従い、レンズ組のジオプター区間に対応するジオプター制御量Δの変動幅を決定するステップ；
レンズ厚ｔとジオプター制御量Δの間の対応関係に従い、ジオプター制御量Δの変動幅に対応するレンズ厚ｔの変動幅を決定するステップ；および
レンズ厚ｔの変動幅に従い、自由曲面レンズを製造して可動レンズおよび静止レンズとし、眼鏡を形成するためにそれらをフレームに取り付けるステップ
を包含する、請求項１に記載の方法。
【請求項３】
ジオプターがジオプター制御量Δにほぼ線形に関連付けられる、請求項２に記載の方法。
【請求項４】
ジオプター変動幅が［０，１０００］である時、対応するΔ値が［０，０．０２の］の変動幅を持つことを特徴とする、請求項３に記載の方法。
【請求項５】
レンズ厚ｔおよびジオプター制御量Δが下記の式：ｔ＝Ａ（ｘ＋Δ）（ｙ２＋（ｘ＋Δ）３／３）を満たしており；式中のｘとｙは、レンズの中央を原点とし、レンズの光軸をＺ軸とする直交座標系におけるレンズ上の任意の点のＸ座標値とＹ座標値であり；および、Ａはレンズ材料の屈折率に関するパラメーターである、請求項２記載の方法。
【請求項６】
静止レンズは眼鏡のフレームに配置されフレームに対して静止しており、可動レンズはフレームに配置され、静止レンズに対して相対的に移動可能であり、且つ、レンズ組のジオプターは、静止レンズに対する可動レンズの位置を変えることにより、その対応するジオプター区間内で変えられる、請求項２に記載の方法。
【請求項７】
ユーザーの望ましいジオプターを受信することは：
眼鏡のフレームに配置されまたはフレームに分離可能に接続された制御モジュールの使用により、ユーザー端末経由でユーザーによって送信された望ましいジオプターを受信すること
を包含する、請求項１−６のいずれか１つに記載の方法。
【請求項８】
望ましいジオプターと現在のジオプターに従い、レンズ組において可動レンズを静止レンズに対して相対的に移動させるのに必要な調節量を決定することは：
ジオプターと可動レンズの移動距離の間の対応関係を利用して、望ましいジオプターに対応する可動レンズの移動距離、および、現在のジオプターに対応する可動レンズの移動距離を決定すること；および
望ましいジオプターに対応する可動レンズの移動距離および現在のジオプターに対応する可動レンズの移動距離に従い、可動レンズを静止レンズに対して相対的に移動させるのに必要な調節量を決定すること
を包含する、請求項１−７のいずれか１つに記載の方法。
【請求項９】
現在のジオプターと望ましいジオプターの間の差が少なくとも１に等しい、請求項１−８のいずれか１つに記載の方法。
【請求項１０】
視力を回復することができる装置であって、該装置は：
ユーザーの視力回復要求に従って製造されるよう構成された左のレンズ組であって、そのレンズ組のジオプター変動幅が連続的なジオプター変動を備えたｎ個のジオプター範囲の１つとなっている、左のレンズ組；
ユーザーの視力回復要求に従って製造されるよう構成された右のレンズ組であって、そのレンズ組のジオプター変動幅が前記ｎ個のジオプター区間の１つとなっている、右のレンズ組；
制御モジュールであって、左のレンズ組および右のレンズ組のいずれか１つについてユーザーの望ましいジオプターを受信した後にレンズ組の現在のジオプターを照会し、且つ、望ましいジオプターおよび現在のジオプターに従い、レンズ組において、可動レンズを静止レンズに対して相対的に移動させるのに必要な調節量を決定するするよう構成された、制御モジュール；および
電気駆動モジュールであって、可動レンズを静止レンズに対して移動させるのに必要な調節量に従い可動レンズを駆動して動かすよう構成された、電気駆動モジュール
を含み；
ここで、ｎ個のジオプター区間はジオプター変動幅［０，Ｎ］を分割することで得られ、その１番目からｎ番目のジオプター変動幅は［０，Ｎ／ｎ］、［１＋Ｎ／ｎ，２Ｎ／ｎ］、…、および［１＋（ｎ−１）Ｎ／ｎ，Ｎ］である、装置。
【発明の詳細な説明】
【技術分野】
【０００１】
本発明は、眼鏡の分野、特に視力を回復することができる方法および装置に関する。
【背景技術】
【０００２】
関連技術の説明では、２つの特別に構成されたレンズが垂直軸方向に平行移動されるとき、光軸上のジオプターが変えられることが記述されている。この原理に従い、関連技術は手作業で眼鏡のジオプターが変えられる眼鏡を構成している。しかしながら、眼鏡のジオプター変動幅は、例えば０から１０００の間というように大きいため、その調節の精度が高くはならず、不正確なジオプター調節の問題が存在している。
【発明の概要】
【０００３】
本発明の実施形態はジオプター調節の精度の低さ、および眼鏡の正確さの問題を解決するための、視力を回復する方法および装置を提供する。
【０００４】
本発明の実施形態によって提供される、視力を回復することができる方法は：
ジオプター変動幅［０，Ｎ］を連続的なジオプター変動を備えたｎ個のジオプター区間に分割するステップ；
ジオプター区間１番目からｎ番目までのジオプター変動幅を［０，Ｎ／ｎ］、［１＋Ｎ／ｎ，２Ｎ／ｎ］、…、および［１＋（ｎ−１）Ｎ／ｎ，Ｎ］に設定するステップ；
ユーザーの視力回復要件に従って眼鏡を製造するステップであって、それに際しては、前記眼鏡における左のレンズ組および右のレンズ組のジオプター変動幅のそれぞれを前記ｎ個のジオプター区間のうちの１つのジオプター区間に対応させる、ステップ；
左のレンズ組と右のレンズ組のどちらか１つについて、ユーザーの望ましいジオプターを得た後、現在のジオプターを照会するステップ；
望ましいジオプターと現在のジオプターに従い、そのレンズ組において可動レンズを静止レンズに対して相対的に移動させるのに必要な調節量を決定する、ステップ；および、
眼鏡に配置された電気駆動モジュールにより、可動レンズを静止レンズに対して相対的に移動させるのに必要な前記調節量に従い、可動レンズを駆動し移動させるステップ
を含む。
【０００５】
好適には、ユーザーの視力回復要件に従って眼鏡を製造することにおいて、左のレンズ組と右のレンズ組のジオプター変動幅はそれぞれ前記ｎ個のジオプター区間のうちの１つのジオプター区間に対応し、および前記方法は：
ユーザーの視力回復要件に応じて、ｎ個のジオプター区間の中から左レンズ組の変動幅に対応する１つのジオプター区間と右レンズ組の変動幅に対応する１つのジオプター区間を選択するステップ；
左のレンズ組および右のレンズ組のいずれか１つに対して、ジオプターとジオプター制御量Δの間の対応関係に従い、そのレンズ組のジオプター区間に対応するジオプター制御量Δの変動幅を決定するステップ；
レンズ厚ｔとジオプター制御量Δの間の対応関係に従い、前記のジオプター制御量Δの変動幅に対応するレンズ厚ｔの変動幅を決定するステップ；および
前記レンズ厚ｔの変動幅に従い、自由曲面レンズを製造して可動レンズおよび静止レンズとし、眼鏡を形成するべくそれらをフレームに取り付けるステップ
を含む。
【０００６】
好適には、ジオプターはジオプター制御量Δに対してほぼ線形の関係を有する。
【０００７】
好適には、ジオプター変動幅が［０，１０００］である場合、対応するΔの値には［０，０．０２］の変動幅がある。
【０００８】
好適には、レンズ厚ｔおよびジオプター制御量Δは下記の式：ｔ＝Ａ（（ｘ＋Δ）ｙ２＋（ｘ＋Δ）３／３）を満たし、式中のｘとｙは、レンズの中央を原点とし、レンズの光軸をＺ軸とする直交座標系におけるレンズ上の任意の点のＸ座標値とＹ座標値であり；および、Ａは、レンズ材料の屈折率に関するパラメーターである。
【０００９】
好適には、静止レンズはフレームに対して相対的に静止するべくフレームに配置され、可動レンズはフレームに配置され、静止レンズに対して相対的に移動可能であり、レンズ組のジオプターは、静止レンズに対する可動レンズの位置を変えることにより、その対応するジオプター変動幅内にて変えられる。
【００１０】
好適には、ユーザーの目的とするジオプターの受信は、フレームに配置された、またはフレームに分離可能に接続された制御モジュールを使用して、ユーザー端末経由でユーザーにより送信された望ましいジオプターを受信することを包含する。
【００１１】
好適には、望ましいジオプターおよび現在のジオプターに従ってレンズ組において可動レンズを静止レンズに対して相対的に移動させるのに必要な調節量を決定することは：
望ましいジオプターに対応して可動レンズが動く距離と、現在のジオプターに対応して可動レンズが動く距離を、ジオプターとレンズの移動距離の間の対応関係を利用して決定するステップ；および
望ましいジオプターに対応して可動レンズが動く距離と、現在のジオプターに対応して可動レンズが動く距離に従い、可動レンズが静止レンズに対して相対的に移動するのに必要な調節量を決定するステップ
を包含する。
【００１２】
好適には、現在のジオプターと望ましいジオプターの間の差は、少なくとも１に等しい。
【００１３】
本発明の一実施形態における視力を回復することができる装置は：
ユーザーの視力回復要件に応じて製造されるように構成された左のレンズ組であって、左のレンズ組のジオプター変動幅が連続的なジオプター変動を備えたｎ個のジオプター区間のうちの１つである、左のレンズ組；
ユーザーの視力回復要件に応じて製造されるように構成された右のレンズ組であって、右のレンズ組のジオプター変動幅がｎ個のジオプター区間のうちの１つである、右のレンズ組；
制御モジュールであって、該制御モジュールは左のレンズ組および右のレンズ組のいずれか１つに対して、ユーザーの望ましいジオプターを受信した後にレンズ組の現在のジオプターを照会し、かつ、望ましいジオプターと現在のジオプターに従い、レンズ組において可動レンズを静止レンズに対して移動させるのに必要な調節量を決定するよう構成されている、制御モジュール；および
電気駆動モジュールであって、可動レンズを静止レンズに対して相対的に移動させるのに必要な調節量に従って可動レンズを駆動して動かすよう構成されている電気駆動モジュール
を含み；
そこでは、ｎ個のジオプター区間はジオプター変動幅［０，Ｎ］を分割することで得られ、その１番目からｎ番目のジオプター区間のジオプター変動幅は［０，Ｎ／ｎ］、［１＋Ｎ／ｎ，２Ｎ／ｎ］、…、および［１＋（ｎ−１）Ｎ／ｎ，Ｎ］である。
【００１４】
本発明の実施形態によって提供された技術的解決は次の有益な効果を有する：
【００１５】
１．本発明の実施形態によると、大きなジオプター変動幅は複数のより小さなジオプター区間に分割され、その複数のジオプター区間のそれぞれに対応するレンズ組が製造され、その結果、２つの特別に構成されたレンズが垂直軸方向に平行移動されるとき、光軸のジオプター変化についてより高い精度を得る。
【００１６】
２．本発明の実施形態によると、可動レンズの駆動は電気駆動モジュールによって実現され、可動レンズが静止レンズに対してより正確に動くことで、ジオプター調節の精度が向上する。
【００１７】
３．本発明の実施形態によると、ユーザーはユーザー端末経由で、望ましいジオプターを設定することができ、その結果、ユーザーが、電気駆動による方法で、ジオプターを独立して正確に調節することができる。
【図面の簡単な説明】
【００１８】
【図１】本発明の一実施形態によって提供された視力を回復することができる方法の概略フローチャートである。
【図２】本発明の１つの実施形態によって提供された視力を回復することができる装置の概要のブロック図である。
【図３】本発明の一実施形態にかかるフレームの構造の概要図である。
【図４】レンズ組および図３のフレームに統合された電機駆動モジュールについての構造の概要図である。
【図５】下側から見られた図４の構造の概要図である。
【図６】レンズ組と図４の電気駆動モジュールを搭載した図３のフレームの、ＡＡ’で切断した断面図である。
【図７】可動レンズが電気駆動モジュールに接続される前の概要図である。
【図８】可動レンズが電気駆動モジュールに接続された後の概要図である。
【図９】本発明の実施形態によって提供される、視力を回復することができる装置の電子制御部分の第１の概略図である。
【図１０】図９の制御モジュールの構造の概要図である。
【図１１】本発明の実施形態によって提供される、視力を回復することができる装置の電子制御部分の第２の概略図である；
【００１９】
参照数字の説明：
１−フレーム・シェル；
２−つる（ｌｅｇ）；
３−ノーズ・パッド；
４０−ＵＳＢインタフェース；
４１ａ−静止レンズ；
４１ｂ−可動レンズ；
４２ａ−静止レンズ・ガイドレール；
４２ｂ−可動レンズ・ガイドレール；
４３ａ−静止レンズ・ガイドレール・アタッチメント；
４３ｂ−可動レンズ・ガイドレール・アタッチメント；
５−電気駆動モジュール；
５０−駆動モジュール・マウンティングブラケット；
６−接続アタッチメント；
７−ねじスリーブ。
【発明を実施するための形態】
【００２０】
以下に、本発明の好ましい実施形態を添付の図面を参照しつつ詳細に説明する。但し、下記に述べられた好ましい実施形態は本発明の単なる例証および説明であって、本発明を制限しないものと理解されるべきである。
【００２１】
図１は、本発明の実施形態によって提供された視力を回復することができる方法の概略フローチャートであり、且つ、図１に示されるように、該方法は次のものを含みうる：
【００２２】
ステップＳ１０１：ジオプター変動幅［０，Ｎ］を、連続的なジオプター変動を備えたｎ個のジオプター区間に分割する。
【００２３】
ステップＳ１０２：続いて、１番目からｎ番目のジオプター区間のジオプター変動幅を［０，Ｎ／ｎ］、［１＋Ｎ／ｎ，２Ｎ／ｎ］、…、および［１＋（ｎ−１）Ｎ／ｎ，Ｎ］と設定する。
【００２４】
例えば、Ｎ＝１０００かつｎ＝１０であるとき、ｎ個のジオプター区間のジオプター変動幅は［０，１００］、［１０１，２００］、…、および［９０１，１０００］となる。
【００２５】
例えば、Ｎ＝８００かつｎ＝１０であるとき、ｎ個のジオプター区間のジオプター変動幅は［０，８０］、［８１，１６０］、…、および［７２１，８００］となる。
【００２６】
ステップＳ１０３：ユーザーの視力回復要件に応じて、眼鏡を製造し、そこで、左のレンズ組および右のレンズ組のジオプター変動幅が、それぞれｎ個のジオプター区間のうちの１つのジオプター区間に対応する。
【００２７】
ユーザーの視力回復要件に従い、ｎ個のジオプター区間から左のレンズ組に対応するジオプター区間および右のレンズ組に対応するジオプター区間を選択する；左のレンズ組および右のレンズ組のいずれか１つに対して、ジオプターとジオプター制御量Δの間の対応関係に従って、レンズ組のジオプター区間に対応するジオプター制御量Δの変動幅を決定し、そして、レンズ厚ｔとジオプター制御量Δの間の対応関係に従って、ジオプター制御量Δの変動幅に対応するレンズ厚ｔの変動幅を決定する；および、レンズ厚ｔの変動幅に従って自由曲面レンズを製造して可動レンズおよび静止レンズとし、それらをフレームに取り付けて眼鏡を形成する。
【００２８】
ジオプターとジオプター制御量Δの間の対応関係は、実験的に得ることができ、その結果は、それら２つがほぼ線形の関係性をもつことを示す。
【００２９】
ジオプター変動幅が［０，１０００］のとき、対応するΔ値には［０，０．０２の］の変動幅がある。
【００３０】
レンズ厚ｔおよびジオプター制御量Δは下記の式：ｔ＝Ａ（（ｘ＋Δ）ｙ２＋（ｘ＋Δ）３／３）を満たし、式中のｘとｙは、レンズの中央を原点とし、レンズの光軸をＺ軸とする直交座標系におけるレンズ上の任意の点のＸ座標値とＹ座標値であり；および、Ａは、レンズ材料の屈折率に関するパラメーターである。
【００３１】
静止レンズはフレームに配置され、フレームに対して静止している。可動レンズはフレームに配置され、静止レンズに対して相対的に移動可能である。そして、静止レンズに対する可動レンズの位置を変えることにより、レンズ組のジオプターを対応するジオプター変動幅内で変えることができる。
【００３２】
仮に、Ｎ＝１０００、かつｎ＝１０、とし、ユーザーの視力回復要件がユーザーの現在の左眼視力が１５０であることを示した場合、選択されるジオプター範囲は［１０１，２００］であり、ジオプターとジオプター制御量Δのほぼ線形の関係性に従い、ジオプター範囲［１０１，２００］に対応するジオプター制御量Δの変化範囲を決定することができる。さらに、レンズ厚ｔの変動幅は、レンズ厚ｔおよびジオプター制御量Δの対応関係ｔ＝Ａ（（ｘ＋Δ）ｙ２＋（ｘ＋Δ）３／３）に従って決定される。それにより、自由曲面レンズが製造され、レンズ組の可動レンズと静止レンズとされ、フレームの左のフレームに取り付けられる。右のレンズ組の製造工程は左のレンズ組のそれと同じで、詳細な説明は本明細書では行わない。
【００３３】
自由曲面レンズは特別に構築されたレンズであり、その詳細については本明細書では記述しない。
【００３４】
ステップＳ１０４：左のレンズ組および右のレンズ組のいずれか１つについて、ユーザーの望ましいジオプターを得た後、レンズ組の現在のジオプターを照会する。
【００３５】
ユーザーによってユーザー端末経由で送信された望ましいジオプターは、フレームに配置されている（または固定的に配置されている）、もしくはフレームに分離可能に接続されている（例えば、ＵＳＢポート経由で接続されている）制御モジュールを使用して受信され、望ましいジオプターを得た後、現在のジオプターがメモリから照会される。
【００３６】
ステップＳ１０５：レンズ組において可動レンズを静止レンズに対して相対的に移動させるのに必要な調節量を、望ましいジオプターと現在のジオプターに従って決定する。
【００３７】
制御モジュールは、望ましいジオプターに対応する可動レンズの移動距離と現在のジオプターに対応する可動レンズの移動距離をジオプターと可動レンズの移動距離の間の対応関係に従って決定し、および、前記制御モジュールは、可動レンズを静止レンズに対して相対的に移動させるのに必要な調節量を、望ましいジオプターに対応する可動レンズの移動距離と、現在のジオプターに対応する可動レンズの移動距離に従って決定する。
【００３８】
ジオプターと可動レンズの移動距離の間の対応関係は、実験の方法によって前もって得ることができ、メモリーに格納することができる。
【００３９】
ステップＳ１０６：前記可動レンズを静止レンズに対して相対的に移動させるのに必要な調節量に従い、眼鏡に配置された電気駆動モジュールによって可動レンズを駆動して移動させる。
【００４０】
電気駆動モジュールはフレームのつるに隣接する位置に固定的に配置され得るステッピングモーターを含み、そこでは、ステッピングモーターのアウトプット回転軸（あるいはスクリューロッド）の雄ねじは、可動レンズの接続アタッチメントの雌ねじに適合し、すなわち、ステッピングモーターのアウトプット回転軸は接続アタッチメントの内部に差し込まれ、接続アタッチメントの雌ねじに噛み合う。前記ステッピングモーターが外部電気信号を受信した時、前記モーターのスクリューロッドは回転し、トルクの動作により静止レンズに対して横方向に移動するよう可動レンズを押し、その結果、光軸方向のジオプターが変えられる。
【００４１】
実施において、制御モジュールは、ユーザー端末経由でユーザーによって送信された望ましいジオプターを受信するための受信器、望ましいジオプターおよび現在のジオプターに従って調節量を生成するための制御装置、そして、前記調節量に従い、ステッピングモーターを駆動するためのステッピングドライバーを含み得る。前記受信器、前記制御装置および前記ステッピングドライバーは既存のチップを用いてもよい。前記調節量は可動レンズを静止レンズに対して相対的に移動させるのに必要な変位であり得、その変位において可動レンズを動かすとき、制御装置は、可動レンズが変位に従い移動するときにステッピングモーターにより回転に必要とされる角度を決定し、その結果、出力に要求されるパルス信号の数を決定する。したがって、パルス信号がステッピングドライバーによって受信されるとき、ステッピングモーターのアウトプット回転軸は決められた方向に従い固定角度だけ回転するよう駆動され、そのアウトプット回転軸の回転は、可動レンズを横方向に移動させるよう駆動し、すなわち、アウトプット回転軸の角変位量は可動レンズの変位の調節量に変換される。
【００４２】
ジオプター変動の精度が改善されねばならない場合、横方向の相対移動の変位精度はナノメーターのレベルに達するべきであり、すなわち、ナノメーターのマイクロモーターが必要とされるが、それを現在の工業水準で実現することは困難である。高精度な変動及び正確な調節を実現するために、大きな変動幅のジオプター区間は複数の小さな変動幅のジオプター区間に分割され、各々の小さな変動幅のジオプター区間に対応するレンズ組のジオプター変動精度は、ジオプター制御量Δと関連する。多くの実験の後、適切なΔの値の選択により、動くレンズの横方向の相対変位をマイクロメートルのレベルまで縮小できることが分かった。現在の工業水準では、マイクロメートル・レベルのマイクロモーターを製造するのは容易である。例えば、０から１０００の間で変動するジオプターは従来の眼鏡でも達成されているが、例えば１といった精密な制御の達成は難しい；および、０から１０００の間で変動するジオプターが１０セットのレンズにより達成され、各セットに１００の間隔がある場合、ジオプター制御量Δを選択することで、精密な制御を達成することができる。
【００４３】
図２は、本発明の実施形態によって提供される視力を回復することができる装置の概要のブロック図である。図２に示されるように、該装置は：
ユーザーの視力回復要件に従って製造されるよう構成された左のレンズ組であって、そのジオプター変動幅は連続的なジオプター変動を備えたｎ個のジオプター区間の１つである左のレンズ組；
前記ユーザーの視力回復要件に従って製造されるよう構成された右のレンズ組であって、そのジオプター変動幅は連続的なジオプター変動を備えたｎ個のジオプター区間の１つである右のレンズ組；
制御モジュールであって、左のレンズ組および右のレンズ組のいずれか１つについて当該ユーザーの望ましいジオプターを受信した後にレンズ組の現在のジオプターを照会し、且つ、レンズ組において、望ましいジオプターおよび現在のジオプターに従い、可動レンズを静止レンズに対して相対的に移動させるのに必要な調節量を決定するよう構成された、制御モジュール；および
電気駆動モジュールであって、可動レンズを静止レンズに対して相対的に移動させるのに必要な調節量に従い可動レンズを駆動して動かすようされた、電気駆動モジュール
を含み；
ここで、ｎ個のジオプター区間はジオプター変動幅［０，Ｎ］の分割により得られ、１番目からｎ番目のジオプター区間のジオプター変動幅は［０，Ｎ／ｎ］、［１＋Ｎ／ｎ，２Ｎ／ｎ］、…、および［１＋（ｎ−１）Ｎ／ｎ，Ｎ］である。
【００４４】
図２の装置は、これより、図３〜１１を参照しつつ詳細に説明される。
【００４５】
図３に示されるフレームは、フレーム・シェル（１）、つる（２）及びノーズ・パッド（３）を含んでいる。
【００４６】
フレーム・シェル（１）には左のフレームおよび右のフレームがある。
【００４７】
左のフレームおよび右のフレームの底の内側表面には各々、可動レンズを配置するための可動レンズ・ガイドレール（４２ｂ）および静止レンズを配置するための静止レンズ・ガイドレール（４２ａ）がある。一実施形態では、可動レンズ・ガイドレール（４２ｂ）は、フレーム底部の内側表面上で形成された長方形の溝であり、可動レンズ（４１ｂ）と平行であり；対応的に、静止レンズ・ガイドレール（４２ａ）は、フレームの底部の内側表面において形成された長方形の溝であり、可動レンズ・ガイドレール（４２ｂ）と平行であり；さらに、静止レンズ・ガイドレール（４２ａ）の両端部は、可動レンズ・ガイドレール（４２ｂ）の方へ伸び、静止レンズ・ガイドレール（４２ａ）から離れた可動レンズ・ガイドレール（４２ｂ）の側部へと向かう。別の実施形態では、可動レンズ・ガイドレール（４２ｂ）は、フレーム底部の内側表面上で形成された長方形のリブであり、可動レンズ（４１ｂ）と平行であり、静止レンズ・ガイドレール（４２ａ）は、フレーム底部の内側表面上で形成された長方形のリブであり、可動レンズ・ガイドレール（４２ｂ）と平行である。さらに、静止レンズ・ガイドレール（４２ａ）の両端部は、可動レンズ・ガイドレール（４２ｂ）の方へ伸び、静止レンズ・ガイドレール（４２ａ）から離れた可動レンズ・ガイドレール（４２ｂ）の側部へと向かう。
【００４８】
本明細書中では、駆動モジュール・マウンティングブラケット（５０）は図２の電気駆動モジュールを固定するためにフレーム・シェル（１）と一体形成することができ、つるに近いフレーム・シェル（１）の位置で提供される。
【００４９】
眼鏡のつる（２）およびフレーム・シェル（１）は可動シャフトを介して接続することができる。
【００５０】
ノーズ・パッドはフレーム・シェル（１）にネジを介して接続され、またはフレーム・シェル（１）と一体的に形成されうる。
【００５１】
図２の制御モジュールは、フレームのあらゆる位置において固定して配置され、またはフレームと分離可能に接続されうる。一実施形態では、図２の制御モジュールがフレームに対して分離可能に接続される場合、フレーム・シェル（１）は、ＵＳＢインタフェース（すなわちモーター制御インタフェース）（４０）を備えており、該ＵＳＢインターフェースは制御モジュールへのアクセスために、フレーム・シェル（１）の中央など、フレーム・シェル（１）のあらゆる位置において設けられてよい。制御モジュールは、フレーム上に設けられたＵＳＢインタフェース（すなわちモーター制御インタフェース）（４０）を介して電気駆動モジュールに電気的に接続される。
【００５２】
図４および５で示されるように、左のレンズ組及び右のレンズ組は各々、レンズの２つの層を含んでおり、レンズの１つの層は、フレーム・シェル（１）に対して静止している静止レンズ（４１ａ）であり、レンズの他の層は、静止レンズ（４１ａ）に対して移動可能である、接続アタッチメント（６）を備えた可動レンズ（４１ｂ）である。１つのレンズ組における静止レンズ（４１ａ）および可動レンズ（４１ｂ）は、同じレンズ・パラメーターがある自由曲面レンズである。
【００５３】
可動レンズ（４１ｂ）はレンズ本体と、レンズ本体上部端に接続アタッチメント（６）とを含んでおり、接続アタッチメント（６）は内部にネジ山が切られている。一実施形態では、図７および８で示されるように、接続アタッチメント（６）は、可動レンズ（４１ｂ）と一体形成された中空の突部を含み、ネジ山が切られたスリーブ（７）が、中空の突部に固定的に配置され（例えば、接着され）、電気駆動モジュール（５）の出力軸はネジ山が切られたスリーブ（７）の中へ差し込まれ、接続アタッチメント（６）および可動レンズ（４１ｂ）は、出力軸の回転によって動かされる。
【００５４】
静止レンズ（４１ａ）は底部に、静止レンズ（４１ａ）に固定的に接続された（例えば、接着された）静止レンズ・ガイドレール・アタッチメント（４３ａ）を備え、可動レンズ（４１ｂ）は底部に、可動レンズ（４１ｂ）に固定的に接続された（例えば、接着された）可動レンズ・ガイドレール・アタッチメント（４３ｂ）を備え、可動レンズ・ガイドレール・アタッチメント（４３ｂ）の長さは、静止レンズ・ガイドレール・アタッチメント（４３ａ）の長さより短い；そして、静止レンズ・ガイドレール・アタッチメント（４３ａ）の両端部は、可動レンズ（４１ｂ）の移動範囲を制限するために、可動レンズ・ガイドレール・アタッチメント（４３ｂ）の方向に、静止レンズ・ガイドレール・アタッチメント（４３ａ）から離れた側へと伸びる。
【００５５】
一実施形態では、可動レンズ・ガイドレール（４２ｂ）および静止レンズ・ガイドレール（４２ａ）が溝である場合、可動レンズ・ガイドレール・アタッチメント（４３ｂ）は、溝にはめ込まれ、溝に密にフィットし、且つ溝に沿って移動可能な突部を有し；さらに、静止レンズ・ガイドレール・アタッチメント（４３ａ）は、溝にはめ込まれ、固定される（例えば、締められる）突部を有している。別の実施形態において、可動レンズ・ガイドレール（４２ｂ）および静止レンズ・ガイドレール（４２ａ）がリブである場合、可動レンズ・ガイドレール・アタッチメント（４３ｂ）は、リブに密にフィットする溝を有し、且つリブに沿って動くことができ、また、静止レンズ・ガイドレール・アタッチメント（４３ａ）は、リブに配置され、リブに固定される（例えば、締められる）溝を有している。
【００５６】
左のレンズ組および右のレンズ組は、左のフレームおよび右のフレームにおいてそれぞれ配置され、図６に示されるように、静止レンズ（４１ａ）は静止レンズ・ガイドレール・アタッチメント（４３ａ）を介して静止レンズ・ガイドレール（４２ａ）の上で固定的に配置され、眼鏡のつる（２）に対して接近しており；および、可動レンズ（４１ｂ）は可動レンズ・ガイドレール・アタッチメント（４３ｂ）を介して可動レンズ・ガイドレール（４２ｂ）の上に配置され、可動レンズ・ガイドレール（４２ｂ）に沿ってつる（２）から遠ざかって移動可能である。
【００５７】
電気駆動モジュール（５）は、可動レンズ（４１ｂ）を駆動して動かすためのステッピングモーターおよびステッピングモーターを配置するための土台を含んでおり、そこでは、土台を備えたステッピングモーターは、図３に示される駆動モジュール・マウンティングブラケット（５０）に配置され、駆動モジュール・マウンティングブラケット（５０）は、フレーム・シェル（１）の眼鏡のつる（２）に近い位置に配置される。
【００５８】
図９〜１１は、本発明の実施形態によって提供された電子制御部の概略図である。図９に示されるように、制御モジュールは無線通信制御モードでユーザー端末アプリケーションを介してユーザーによって送られた望ましいジオプターを受信し、その後、望ましいジオプターおよび現在のジオプターに従って調節量を生成し、無線または有線接続モードにおいてステッピングモーターのアウトプット回転軸を駆動することで、機械的な適合モードを介して可動レンズを駆動し動かす。ステッピングモーターの回転軸が回転する場合、ネジ山が切られたスリーブおよびレンズは機械的原理に従って共に押され、動かされる。ステッピングモーターが正確に回転角を制御することができるので、レンズの正確な動作は制御され、眼鏡のジオプター精度は改善され、それは例えば１に対して達成することも可能である。すなわち、本発明の実施形態でユーザーは、無線または有線の様式においてユーザー端末経由でステッピングモーターの制御モジュールに対してジオプター変動の命令を送ることができ、さらに、その命令はステッピングモーターによって行なわれ、その結果、ユーザーは、独立して眼鏡のジオプター変動を制御することができる。
【００５９】
本発明の実施形態の制御モジュールは既存の制御回路を使用してもよい。例えば、制御回路は、図１０に示されるような望ましいジオプターを受信するよう構成された受信器；望ましいジオプターおよび現在のジオプターに従って調節量を生成するよう構成された制御装置；および、調節量に従ってステッピングモーターを駆動するよう構成されたステッピング・ドライバーを含んでもよく、ステッピング・ドライバーのアウトプット端部はステッピングモーターに接続されている。とりわけ、受信器、制御装置及びステッピング・ドライバーはすべて既存のチップを使用してもよい。ユーザー端末は、図１１に示されるような携帯電話、タブレット型コンピューターなどでありえる。制御モジュールは、図１１に示されるようにＵディスクであっても良く、つまり、それは図３で示されるＵＳＢポートにＵＳＢ接続モードよって接続され、ステッピング・モーターを制御する。
【００６０】
応用例
ジオプター変動幅［０，１０００］が連続的なジオプター変動を備えた１０のジオプター区間に分割され、また、１０のジオプター区間のジオプター変動幅は［０，１００］、［１０１，２００］、…、および［９０１，１０００］である。
【００６１】
現在のユーザーの左眼および右眼の視力が１５０であることをユーザーの視力回復要件が示す場合、選択されることが要求されるジオプター区間は［１０１，２００］であり、ユーザーの左のレンズ組および右のレンズ組のジオプター変動幅が両方とも、ジオプター区間［１０１，２００］に対応する。
【００６２】
右のレンズ組を以下に例示する。
【００６３】
ジオプターとジオプター制御量Δの間のほぼ線形の関係に従い、そのジオプター区間［１０１，２００］に対応するジオプター制御量Δの変動幅を決定することができ、さらに、レンズ厚ｔとジオプター制御量Δの間の対応関係に従って、そのレンズ厚ｔの変動幅が決定され、そして、自由曲面レンズが製造され右のレンズ組の可動レンズおよび静止レンズとされる。
【００６４】
静止レンズは、静止レンズの底に固定的に接続された静止レンズ・ガイドレール・アタッチメントを介し、右のフレーム底部の内側表面にある静止レンズ・ガイドレールに固定的に取り付けられる。
【００６５】
電気駆動モジュールのアウトプット回転軸は可動レンズの接続アタッチメントの中へ差し込まれ、電気駆動モジュールは駆動モジュール・マウンティングブラケットに配置され、さらに、静止レンズは、可動レンズの底に固定的に接続された可動レンズ・ガイドレール・アタッチメントを介して右のフレームの底部の内側表面にある可動レンズ・ガイドレールに取り付けられる。
【００６６】
使用においては、制御モジュールとして機能するＵディスクは、フレーム上のモーター制御インタフェースの中へ差し込まれ、次に、その制御モジュールが、ユーザーによってユーザー端末を介して送信された、右眼の受信された望ましいジオプターと、照会された右のレンズ組の現在のジオプターに従って、計算し、望ましいジオプターに到達するように、右のレンズ組の可動レンズを移動するための調節量に従って、電気駆動モジュールのアウトプット回転軸を駆動して回転させる。
【００６７】
左のレンズ組の製造、取り付け及び使用のプロセスは、右のレンズ組のものと同様であり、本明細書には詳細に記述されない。
【００６８】
低いジオプターの眼鏡の連続的な着用を近視と遠視の治療に用いることができることが関連技術によって示されている。本発明の実施形態によって、ユーザーは眼鏡のジオプターを眼の実際のジオプターより低くなるよう継続的に調節することができる。例えば、眼の実際のジオプターが近視に対して２５６の場合に、眼鏡のジオプターを近視に対して２５５に調節することができ、それによって、ユーザーの近視を２５６から２５５まで回復することができる。
【００６９】
本発明の実施形態によれば、眼鏡は１の最小の調節幅を持つことができ；ユーザーが長期間にわたり実際のジオプターより１だけ低いジオプターの眼鏡をかけると、視力の回復は実現可能であり、また当該方法は様々な自己適応能力をもつユーザーに応用可能である。
【００７０】
本発明は上記に詳細に説明されたが、本発明はそれに制限されず、本発明の原理に従って、当業者によって様々な変更がなされてもよい。したがって、本発明の原理に従ってなされたいかなる変更も本発明の保護の範囲内にとどまると理解されねばならない。
【図１】
2020526801.tif 000003
【図２】
2020526801.tif 000004
【図３】
2020526801.tif 000005
【図４】
2020526801.tif 000006
【図５】
2020526801.tif 000007
【図６】
2020526801.tif 000008
【図７】
2020526801.tif 000009
【図８】
2020526801.tif 000010
【図９】
2020526801.tif 000011
【図１０】
2020526801.tif 000012
【図１１】
2020526801.tif 000013
【国際調査報告】
2020526801.tif 000014
2020526801.tif 000015
2020526801.tif 000016
2020526801.tif 000017
2020526801.tif 000018
2020526801.tif 000019